(57)【要約】【課題】電力供給デバイスの搭載された電子機器を、適切に把握することによって、電力供給デバイス自体の電力消費の制御をより適切に行うと共に、把握された情報を基に、周辺機器をも含めた電子機器のより適切な利用を図ること。【解決手段】一実施形態によれば、電子機器に装着されて前記電子機器に電力を供給する電力供給デバイスであって、前記電力を提供する蓄電池と、前記蓄電池の電流を検出する電流検出部と、前記電力供給デバイスの物理動作を検出する物理動作検出部と、少なくとも検出された前記電流及び／又は検出された前記物理動作を含む情報に基づいて、複数の電子機器のそれぞれに対応するプロファイルから、前記電力供給デバイスが装着されている電子機器のプロファイルを推定する、プロファイル推定部と、前記推定された前記電子機器のプロファイルに基づき、所定の動作を制御する、動作制御部と、を有する、電力供給デバイスが提供される。【選択図】図１
2014230471.tif 000002
【特許請求の範囲】
【請求項１】
電子機器に装着されて前記電子機器に電力を供給する電力供給デバイスであって、
前記電力を提供する蓄電池と、
前記蓄電池の電流を検出する電流検出部と、
前記電力供給デバイスの物理動作を検出する物理動作検出部と、
少なくとも検出された前記電流及び／又は検出された前記物理動作を含む情報に基づいて、複数の電子機器のそれぞれに対応するプロファイルから、前記電力供給デバイスが装着されている電子機器のプロファイルを推定する、プロファイル推定部と、
前記推定された前記電子機器のプロファイルに基づき、所定の動作を制御する、動作制御部と、
を有する、
電力供給デバイス。
【請求項２】
前記動作制御部は、
前記蓄電池の電流を制御する、電流制御部、
を含み、
前記所定の動作は、前記電流の制御である、
請求項１記載の電力供給デバイス。
【請求項３】
無線通信を行う、通信部を更に有し、
前記所定の動作は、無線通信である、
請求項１又は２記載の電力供給デバイス。
【請求項４】
前記プロファイル推定部は、
複数のプロファイルを保存する、プロファイル保存部と、
少なくとも検出された前記電流及び／又は検出された前記物理動作を含む情報を用いて、前記プロファイル保存部から、前記電子機器のプロファイルを検索する、プロファイル検索部と、
前記通信部を介して、前記情報を管理装置に送信することによって、前記管理装置が推定した前記電子機器のプロファイルを取得する、プロファイル取得部と、
を含む、請求項３記載の電力供給デバイス。
【請求項５】
前記プロファイル推定部は、検出された前記電流の変化と、検出された前記物理動作の変化との間の関係を更に用いて、前記電子機器のプロファイルを推定する、
請求項４記載の電力供給デバイス。
【請求項６】
前記プロファイル推定部は、検出された前記電流の変化及び／又は検出された前記物理動作の変化と、前記電子機器とは異なる外部機器の動作情報との間の関係をさらに用いて、前記電子機器のプロファイルを推定する、
請求項４又は５に記載の電力供給デバイス。
【請求項７】
前記プロファイル推定部は、前記推定されたプロファイルを保存する、プロファイル履歴保存部であって、同一プロファイルの保存回数を併せて保存する、プロファイル保存部を含み、
前記電子機器のプロファイルの候補が複数存在する場合には、前記プロファイル保存部の前記保存回数の多い前記候補を特定する、
請求項４ないし６のうちいずれか１項記載の電力供給デバイス。
【請求項８】
前記電力供給デバイスに直列又は並列に接続されている１つ以上のペアバッテリに指令を送るペアバッテリ制御部、を更に有し、
前記所定の動作は、前記ペアバッテリ制御部を介して、前記１つ以上のペアバッテリの電流を制御する指令である、
請求項１ないし７のうちいずれか１項記載の電力供給デバイス。
【請求項９】
電子機器に装着されて前記電子機器に電力を供給する電力供給デバイスが有する処理装置に実行させるためのプログラムであって、
前記電力供給デバイスに含まれ、電力を供給する、蓄電池の電流を検出し
前記電力供給デバイスの物理動作を検出し、
少なくとも検出された前記電流及び／又は検出された前記物理動作を含む情報に基づいて、複数の電子機器のそれぞれに対応するプロファイルから、前記電力供給デバイスが装着されている電子機器のプロファイルを推定し、
前記推定された前記電子機器のプロファイルに基づき、所定の動作を制御する、
処理を、処理装置に実行させるための電力供給プログラム。
【発明の詳細な説明】
【技術分野】
【０００１】
本発明は、電力供給デバイス、及び電力供給プログラムに関する。
【背景技術】
【０００２】
乾電池（一次電池、二次電池）などの電力供給デバイスは、多種多様な電子機器に対する電気エネルギーの供給源として利用されている。しかしながら、乾電池などの電力供給デバイスは、多くの場合、単に電力を提供するために利用されており、電力供給デバイス自らが、能動的な形で機能を提供するように設計されていない場合がほとんどである。
【０００３】
電池などの、電力供給デバイスを、適切に制御することは、省エネルギーなどの観点からも重要である。また、電力供給デバイスが搭載された電子機器と、他の電子機器とが連携して動作するようにすることで、複数の電子機器の適切な利用が行えるようにすることが望まれている。
【０００４】
複数の電気機器に接続され、電力需用測定結果から電気機器の種類等を推定する機器推定装置において、測定結果から複数の電気機器の電力需用が重畳された時間変動波形及びその電力需用変動量の大きさを抽出し、電力需用変動量の大きさ毎に、その電力需用変動量の大きさのみから成る複数の時間変動波形を抽出する電力需用変動解析部と、時間変動波形の周期分布から代表周期を抽出する周期分布解析部と、複数の電気機器の間欠運転時固有の特徴を記憶するデータベースと、抽出された電力需用変動量の大きさ及び代表周期と、記憶されている複数の電気機器の間欠運転時固有の特徴との比較により、間欠運転中の電気機器を推定する推定部とを有する技術が存在する（例えば特許文献１参照）。
【先行技術文献】
【特許文献】
【０００５】
【特許文献１】特開２００９−２５７９５２号公報
【発明の概要】
【発明が解決しようとする課題】
【０００６】
このように、電力供給デバイス（電池）が搭載されている機器の使用状況を、的確に把握する上で困難を伴っていた。このため、電力供給デバイスの消費電力の適切な制御などが十分には行われていない。また、例えば、周辺機器をも含めた電子機器のより適切な利用が十分には行われていない。
【０００７】
そこで、一側面では、本発明は、電力供給デバイスの搭載された電子機器を、適切に把握することによって、電力供給デバイス自体の電力消費の制御をより適切に行うと共に、把握された情報を基に、周辺機器をも含めた電子機器のより適切な利用を図ることを目的とする。
【課題を解決するための手段】
【０００８】
一実施形態によれば、電子機器に装着されて前記電子機器に電力を供給する電力供給デバイスであって、前記電力を提供する蓄電池と、前記蓄電池の電流を検出する電流検出部と、前記電力供給デバイスの物理動作を検出する物理動作検出部と、少なくとも検出された前記電流及び／又は検出された前記物理動作を含む情報に基づいて、複数の電子機器のそれぞれに対応するプロファイルから、前記電力供給デバイスが装着されている電子機器のプロファイルを推定する、プロファイル推定部と、前記推定された前記電子機器のプロファイルに基づき、所定の動作を制御する、動作制御部と、を有する、電力供給デバイスが提供される。
【発明の効果】
【０００９】
一実施形態によれば、電力供給デバイスの搭載された電子機器を、適切に把握することによって、電力供給デバイス自体の電力消費の制御をより適切に行うと共に、把握された情報を基に、周辺機器をも含めた電子機器のより適切な利用を図ることができる。
【図面の簡単な説明】
【００１０】
【図１】一実施形態の機能ブロック図。
【図２】一実施形態の処理の概要を示すフローチャート。
【図３】電子機器のプロファイルを推定する処理の例を示すフローチャート。
【図４】ペアバッテリの制御の例を示すフローチャート。
【図５】プロファイル及びプロファイル履歴保存部の例を示す図。
【図６】電力供給デバイスの構成の概要を示す図。
【図７】検出されたイベントの関係の例を示す図。
【図８】一実施形態のハードウェア構成を示す図。
【発明を実施するための形態】
【００１１】
以下、実施形態に関して、添付の図面を参照しながら説明を行う。
【００１２】
図１は、一実施形態の機能ブロック図を示している。電力供給デバイス１００は、電子機器１０に装着され、或いは挿入される。したがって、電子機器１０と電力供給デバイス１００は、一体化された形で利用され得る。また、電力供給デバイス１００と連携を取りつつ、電子機器１０に電力を供給するペアバッテリ１３９が存在してもよい。
【００１３】
無線ネットワーク１５０は、電力供給デバイス１００と他の機器との間のデータ通信を提供する。
【００１４】
管理装置１４０は、電力供給デバイス１００と無線ネットワーク１５０を介して通信を行うことができる。管理装置１４０の例としては、携帯端末、携帯電話、サーバなどのコンピュータなどが挙げられる。
【００１５】
また、無線ネットワーク１５０には、外部機器３（１６６）、スマートメータ１６４などが接続されていてもよい。スマートメータには、外部機器１（１６２）が接続されている。
【００１６】
スマートメータとは、例えば、接続されている外部機器１（１６２）の電力消費などの情報を計測し、例えば、その情報を管理装置１４０又は、電力供給デバイス１００に提供する能力を有し得る。また、外部機器１（１６２）に対する適切な電力供給を行うための電力供給制御機能を有し得る。
【００１７】
電力供給デバイス１００は、例えば、汎用の単１、単２、００６Ｐ電池などの形状であってもよい。また、電力供給デバイス１００は、電子機器などに装着される専用又は汎用の充電式バッテリーの形状であってもよい。
【００１８】
電力供給デバイス１００は、蓄電池１０２と、電流検出部１０４と、１つ以上の物理動作検出部１０６と、プロファイル推定部１１０と、動作制御部１２０と、インタフェース１３２と、バイブレータ１３６と、スピーカ１３４と、通信部１３０とを備えている。なお、全ての構成が必須の構成ではない点に留意すべきである。たとえば、バイブレータ１３６、スピーカ１３４などはなくてもよい。
【００１９】
蓄電池１０２は、リチウム電池、ニッケル水素電池などの、充電式の二次電池である。蓄電池１０２の電力は、電子機器１０に提供されると共に、電力供給デバイス内の各構成要素に対して電力を供給することができる。なお、蓄電池１０２の蓄電量が不足した場合に備えて、電力供給デバイス１００の各構成要素に予備電力を供給するための予備バッテリ（不図示）が用いられてもよい。
【００２０】
電流検出部１０４は、蓄電池１０２から提供される電流を検出し、プロファイル推定部１１０に提供することができる。
【００２１】
物理動作検出部１０６は、電力供給デバイス１００が装着された電子機器１０の物理的動作を検出する。たとえば、加速度センサ、ジャイロセンサ、温度センサ、マイクロフォン、地磁気センサ、人感センサ、傾斜センサ、照度センサ、匂いセンサ、などが挙げられる。本実施形態は、上述の例示に限定されるものではない。加えて、物理動作検出部１０６は、照度センサ、匂いセンサなど、物理動作に限定されるものではない。この物理動作検出部１０６の出力は、プロファイル推定部１１０に提供される。
【００２２】
プロファイル推定部１１０は、プロファイル保存部１１２と、プロファイル検索部１１４と、プロファイル取得部１１６と、プロファイル履歴保存部１１８とを有する。プロファイル推定部１１０は、例えば、電流検出部１０４、及び物理動作検出部１０６からの情報を基に、電子機器１０のプロファイルを推定する能力を有する。
【００２３】
プロファイル保存部１１２は、予め定められた複数の電子機器のプロファイルを保存する。プロファイルの例については、図５を用いて説明する。
【００２４】
プロファイル検索部１１４は、例えば、電流検出部１０４、及び物理動作検出部１０６からの情報を基に、プロファイル保存部１１２に保存されたプロファイルを検索する。この検索によって、電子機器１０のプロファイルを推定することができる。
【００２５】
また、プロファイル検索部１１４は、通信部１３０を介して入手した、外部機器１（１６２）、外部機器３（１６６）、管理装置１４０などの動作情報を用いて、プロファイル保存部１１２を検索してもよい。
【００２６】
なお、プロファイル検索部１１４によって、プロファイルが１つに特定できない場合、検索結果のマッチ度が低い場合などが予想される。この場合には、後述するプロファイル取得部１１６、或いは、プロファイル履歴保存部の情報を用いて、より確度の高いプロファイルの特定をすることができる。
【００２７】
プロファイル取得部１１６は、例えば、電流検出部１０４、及び／又は物理動作検出部１０６からの情報を、通信部１３０を介して、管理装置１４０に送信する。管理装置１４０では、多くの電子機器のそれぞれに関するプロファイルに対して、検索を実行することができる。また、管理装置１４０は、外部機器１（１６２）、外部機器３（１６６）、管理装置１４０などの動作情報を用いて、プロファイル保存部１１２を検索してもよい。管理装置１４０が検索したプロファイルは、通信部１３０を介して、プロファイル取得部１１６に提供される。
【００２８】
なお、プロファイル取得部１１６は、通信部１３０を介して、管理装置１４０から、所定のプロファイルを受信することもできる。例えば、オペレータからの所定のプロファイルの選択を、管理装置１４０が受け取り、通信部１３０を介して、プロファイル取得部１１６に与えることができる。この場合には、プロファイル推定部１１０は、プロファイルを推定する動作を行う必要はなく、与えられたプロファイルを、電子機器１０のプロファイルとして用いることができる。この与えられたプロファイルは、動作制御部に提供される。なお、この場合、プロファイル推定部は、この与えられたプロファイルが、電流検出部１０４、及び物理動作検出部１０６等からの情報と適合するかを確認してもよい。
【００２９】
プロファイル履歴保存部１１８は、過去に特定されたプロファイルを履歴情報として保存する。プロファイル履歴保存部１１８に保存される具体的なデータの例は、図５を用いて後述する。プロファイル履歴保存部１１８は、過去のプロファイルを蓄積して保存しておくことにより、電力供給デバイス１００が再び装着される可能性の高い電子機器１０に関する情報を提供することができる。したがって、プロファイルの候補が複数存在する場合には、このプロファイル履歴保存部１１８を参照して、過去の履歴として、電力供給デバイス１００が、より多く装着された電子機器に係るプロファイルを優先的に選択することができる。
【００３０】
プロファイル推定部１１０において、推定された電子機器１０のプロファイルは、動作制御部１２０に提供される。
【００３１】
動作制御部１２０は、電流制御部１２２と、外部機器制御部１２４と、ペアバッテリ制御部１２６とを有する。動作制御部１２０は、電力供給デバイス１００の制御を行うことができる。また、動作制御部１２０は、外部機器の制御を行ってもよい。
【００３２】
電流制御部１２２は、推定された電子機器１０のプロファイルに基づいて、蓄電池１０２の電流を制御することができる。たとえば、プロファイルが、レーザポインタのプロファイルであれば、電流制御部は、物理動作検出部１０６の加速度センサが加速度の変化を検出したとき及びその後の所定の期間に蓄電池１０２から電流が流れるよう制御することができる。この制御を行うことによって、蓄電池の無駄な電力消費を抑えることが可能となる。
【００３３】
外部機器制御部１２４は、通信部１３０を介して、外部機器との連携を行うことができる。例えば、子供のおもちゃがプロファイルとして推定されている場合、加速度検出器が、加速度を検出せず、所定の有効時間を超えて、子供のおもちゃが自動的に電源オフとなった場合を想定する。この場合、外部機器制御部１２４は、関連性の高い子供部屋の電灯が、スマートメータ１６４を介して電源オフとなるよう、指示を送ることができる。
【００３４】
ペアバッテリ制御部１２６は、１個以上のペアバッテリ１３９が、電力供給デバイス１００と並列、又は直列に接続されていることを検知する。この検知は、ペアバッテリ１３９との間が有線での接続を有するため、例えば、電力供給デバイス１００のインタフェース１３２と、ペアバッテリ１３９に存在するインタフェース（不図示）との間で、認証のための所定の通信を相互に行うことにより、実行できる。例えば、インタフェース１３２が所定の信号を、電極から送信し、ペアバッテリ１３９から所定の応答が帰ってくるか否かを検知することによって、ペアバッテリの特定を行うことができる。
【００３５】
ペアバッテリ制御部１２６は、ペアバッテリ１３９の蓄電池の情報を取得してもよい。またペアバッテリ制御部１２６は、電流制御部１２２と連携して、蓄電池１０２の電流制御に関する情報をペアバッテリ１３９に送信し、ペアバッテリ１３９の電流制御を指示してもよい。
【００３６】
なお、動作制御部１２０は、電流検出部１０４、又は物理動作検出部１０６からの情報を、通信部１３０を介して所定の外部機器に送信することもできる。或いは、動作制御部１２０から、所定の外部機器に上記情報を送った後に、所定の外部機器から、動作指示などを含む応答を受け取ってもよい。この動作指示としては、例えば、バイブレータ１３６の制御、スピーカ１３４の制御、電流制御部１２２による蓄電池１０２の電流制御等が挙げられる。
【００３７】
以上のように、動作制御部１２０は、プロファイルに基づいて所定の動作を行ってもよいし、外部機器からの具体的な指示に基づいて、所定の動作を行ってもよい。
【００３８】
上述の動作制御部１２０の種々の動作は、所定の動作の一例である。
【００３９】
通信部１３０は、ブルートゥース（登録商標）などの無線通信機能を有し、無線ネットワーク１５０を介して、管理装置１４０、外部機器３（１６６）、スマートメータ１６４などとデータ交換を行ってもよい。
【００４０】
スピーカ１３４は、外部への音の発信を行うために利用される。
【００４１】
バイブレータ１３６は、バイブレーションにより情報を外部に伝達するために利用される。その他、ＬＥＤ（不図示）、小型液晶ディスプレイ（不図示）などが存在してもよい。
【００４２】
以上のようにして、電力供給デバイス１００は、電子機器１０のプロファイルを適切に推定し、電子機器１０に適した電力供給及び／又はその他の動作を行うことができる。また、電力供給デバイス１００は、電子機器１０の動作に応じて外部機器の制御を行うことができる。
【００４３】
図２は、一実施形態の処理の概要を示すフローチャートを示している。図２（Ａ）は、処理の全体的な流れを示すフローチャートである。
【００４４】
ステップＳ２０２で、電流検出部１０４は、蓄電池１０２の電流を検出する。この電流の検出は、所定の時間継続して行われてもよい。例えば、目覚まし時計の場合には、１日に１回朝に目覚まし時計が鳴るときに、電流値が増加する。したがって、この電流のパターンが一定間隔で発生するかを、日の単位、週の単位などで計測することが望ましい場合がある。
【００４５】
ステップＳ２０４で、物理動作検出部１０６は、電子機器１０の物理動作（例えば加速度）を検出する。電子機器１０が目覚まし時計である場合には、目覚まし時計が鳴った直後に目覚まし時計の音を消すための操作がなされる場合が多い。したがって、電流の変化と、加速度の変化との間の時間間隔には、目覚まし時計特有の時間間隔が出現することとなる。この点については、図７を用いて後述する。
【００４６】
ステップＳ２０６で、プロファイル推定部１１０は、電子機器１０のプロファイルを推定する。推定されたプロファイルに基づいて、電力供給デバイス１００は、適切な処理を行うことができる。なお、プロファイルの推定については、図１を用いて既に述べたが、処理の具体例については図３を用いて後述する。
【００４７】
なお、上述のように、オペレータからの所定のプロファイルの選択を、管理装置１４０が受け取り、通信部１３０を介して、プロファイル取得部１１６が受け取った場合には、プロファイルの推定は行わなくてもよい。なお、この場合、上述のように、与えられたプロファイルと、電流検出部１０４、及び物理動作検出部１０６からの情報等とが適合するかを確認してもよい。また、この適合の確認の結果を、管理装置１４０に提供して、更なる指示を受信してもよい。
【００４８】
ステップＳ２０８で、動作制御部１２０は、推定されたプロファイルに応じて、適切な動作を行う。この適切な動作の例は、上述の動作制御部１２０の動作が挙げられる。
【００４９】
図２（Ｂ）は、動作制御部１２０の動作の例を示している。
【００５０】
ステップＳ２２２で、電流制御部１２２は、電流制御を行うことが必要か否かを判断する。上述のように、電子機器１０がレーザポインタの場合には、電流制御を行う必要があるため、ステップＳ２２４に進む。
【００５１】
ステップＳ２２４で、電流制御部１２２は、蓄電池１０２の電流制御を行う。例えば、レーザポインタの場合、物理動作検出部１０６（加速度センサ）の加速度が変化したのを契機に、蓄電池１０２の電流スイッチをオンにして、電力が利用できるようにする。そして、例えば、所定の時間、この状態を継続する。所定の時間の間に、加速度の変化が検出されれば、所定の時間をリセットし、再度所定の時間、この状態を継続する。所定の時間の間に、加速度の変化が一度も検出されなければ、電流制御部１２２は、上記電流スイッチをオフとし、不要な電流がその後流れるのを防止する。また、ペアバッテリ１３９が存在する場合には、ペアバッテリ制御部１２６が、同様の処理をペアバッテリ１３９に指示する。
【００５２】
この処理によって、レーザポインタに装着された電力供給デバイス１００の蓄電池１０２の不適切な電力消費を適切に減少させることができる。
【００５３】
ステップＳ２２６で、例えば、外部機器制御部１２４は、無線通信が必要か否かを判断する。この判断が「はい」であれば、ステップＳ２２８に移る。この判断が「いいえ」であれば、終了する。
【００５４】
ステップＳ２２８で、無線通信による処理が行われる。例えば、上述のように、おもちゃの電源が自動的にオフとなった場合、外部機器制御部１２４は、関連性の高い子供部屋の電灯をオフとするよう、通信部１３０を介して、スマートメータ１６４に指令を送ってもよい。
【００５５】
更に具体的な例を示すと以下のようになる。電力供給デバイス１００が設置されている電子機器１０のプロファイルに、その電子機器１０が「可搬型」であり「使用時間限定」である場合には、電力供給デバイス１００に加速度が検出されないときは、電力供給デバイス１００は電子機器１０への供給電流をオフにする。加速度が検出されると、有効時間Ｔの間は、電力供給デバイス１００からの電力供給をオンにする。一定時間以上加速度が検出されないときは、電池型デバイスからの電力供給をオフにする。
【００５６】
また、スマートメータ１６４に接続された外部機器１（１６２）が存在する場合は、外部機器１（１６２）の電力供給の制御を行うことも可能である。
【００５７】
以上のようにして、動作制御部は、適切に蓄電池１０２、及びその他の機器の動作制御を行うことができる。
【００５８】
図３は、電子機器１０のプロファイルを推定する処理のフローチャートの例を示している。
【００５９】
ステップＳ３０２で、電力供給デバイス１００が、初めて使用されるか否かが判断される。電力供給デバイス１００が初めて利用される場合には（はい）、ステップＳ３１６に進んでもよい。「いいえ」であれば、ステップＳ３０４に進む。なお、初めて使用される場合にも、ステップＳ３０４に進むこととしてもよい。この処理をどのように設定するかは、プロファイル保存部１１２に、どの程度のプロファイルが予め保存されているかに応じて決定してもよい。プロファイル保存部１１２に、十分なプロファイルが予め保存されているのであれば、初使用であっても、ステップＳ３０４を実行してもよい。
【００６０】
なお、初使用において、管理装置１４０によって、プロファイルを決定することとした場合（ステップＳ３１６）、管理装置１４０は、電力供給デバイス１００の利用環境を推定してもよい（不図示）。たとえば、レーザポインタのプロファイルが推定された場合には、電力供給デバイス１００の利用環境はオフィスである可能性が高い。また、おもちゃのプロファイルが推定された場合には、利用環境は、家庭である可能性が高い。したがって、管理装置１４０は、この推定された利用環境に適合したプロファイル群を、通信部１３０を介して、プロファイル保存部１１２に格納してもよい。このようにすることによって、電力供給デバイス１００自体が、その後のプロファイルの推定を、より効率よく行うことができる。
【００６１】
ステップＳ３０４で、プロファイル検索部１１４は、電流検出部１０４からの電流の情報、物理動作検出部１０６からの物理動作の情報を用いて、プロファイル保存部１１２を検索する。
【００６２】
ステップＳ３０６で、一致するプロファイルが１つだけ特定された場合には、ステップＳ３１８に進む。一致するプロファイルが存在しない場合には、ステップＳ３１６に進む。また、一致するプロファイルが複数存在する場合には、ステップＳ３０８に進む。
【００６３】
ステップＳ３０８で、電流検出部１０４からの電流の情報、物理動作検出部１０６からの物理動作の情報、或いは必要に応じて、通信部１３０を介して外部機器３（１６６）などから提供された外部機器３の動作情報の動作の関連を用いて、プロファイルを検索する。
【００６４】
たとえば、上述のように、目覚まし時計の場合には、電流の変化と、加速度の変化との時間差に、所定の関係が存在する。また、目覚まし時計の電流変化と、外部機器であるコーヒーメーカの電流変化とには、例えば、１０分程度の時間差が認められる場合がある。このように、得られた情報の連携をも用いて、プロファイル保存部１１２を検索することにより、さらに電子機器１０のプロファイルを絞り込むことができる。
【００６５】
ステップＳ３１０で、一致するプロファイルが１つだけ特定された場合には、ステップＳ３１８に進む。一致するプロファイルが存在しない場合には、ステップＳ３１６に進む。また、一致するプロファイルが複数存在する場合には、ステップＳ３１２に進む。
【００６６】
ステップＳ３１２で、プロファイル履歴保存部１１８のプロファイルを検索する。
【００６７】
ステップＳ３１４で、プロファイル履歴保存部に保存されたプロファイルと一致するプロファイルが存在するかが判断される。一致するプロファイルが１つだけ特定された場合には、ステップＳ３１８に進む。一致するプロファイルが存在しない場合には、又は、一致するプロファイルが複数存在する場合には、ステップＳ３１６に進む。なお、プロファイル履歴保存部１１８におけるプロファイルの履歴の保存回数を用いて、検索を実行することができる。すなわち、保存回数が大きいプロファイルに対しては、一致度をより高くすることができる。そして、所定の閾値よりも一致度が高い場合には、一致したと判断してもよい。
【００６８】
ステップＳ３１６で、管理装置１４０によるプロファイルの推定が行われる。推定されたプロファイルは、通信部１３０を介してプロファイル推定部１１０に返される。なお、管理装置は、必要に応じて、電子機器１０に関してユーザに問い合わせることも可能である。
【００６９】
ステップＳ３１８で、推定されたプロファイルを決定する。この決定されたプロファイルは、プロファイル履歴保存部１１８に保存される。なお、同じプロファイルが、プロファイル履歴保存部１１８に保存されている場合には、そのエントリの保存回数をインクリメントすればよい。
【００７０】
以下、具体的な例を挙げて説明する。
【００７１】
電力供給デバイス１００が、例えば、ＤＶＤレコーダのリモコンのような可搬型の機器に入れられた場合、持ち上げのときの加速度の変化を検出し、その後、リモコンのボタンを押下することによる電流値の変化を検出する。そして、リモコンを持ち下げるときの加速度の変化を検出する。
【００７２】
そして、短時間に一定の加速度の変化を検出するため可搬型であること、および、閾値以上の電流値が一定期間しかないため使用時間限定型であることが判明する（ステップＳ３０４）。
【００７３】
この場合、可搬型の機器、かつ、使用時間限定なのは、ＴＶのリモコン、ＤＶＤレコーダのリモコン、エアコンのリモコン、レーザポインタ、電車のおもちゃが候補として存在するため、検索結果は１つには限定されていない（ステップＳ３０６）。
【００７４】
そこで、関連性のある機器があるか否かの判定を行う（ステップＳ３０８）。ここで、他の機器との連携を考慮した判定をおこなうと、ＴＶとＤＶＤレコーダの関連性が極めて高いと判定される。そうすると、ＴＶのリモコンか、ＤＶＤレコーダのリモコンに限定される。
【００７５】
最後に、過去の使用による判定（ステップＳ３１２）を行うと、ＤＶＤレコーダのリモコンの使用回数が多いことがわかるので、電子機器１０はＤＶＤレコーダのリモコンと推定される。
【００７６】
電力供給デバイス１００が、例えば、目覚まし時計のような据置型の機器に入れられた場合、指定時刻にアラームが鳴ることによる電流変化が発生する。そして、使用者が目覚まし時計のアラーム停止ボタンを押すことで、目覚まし時計本体にスパイク状の加速度が検出され、アラームが停止する。これにより、もとの電流値に戻る。
【００７７】
このような機器が存在する場合に、目覚まし時計であることを判定するためには、以下のようなフローで推定を行う。
【００７８】
まず、ステップＳ３０４で、加速度の変化はスパイク状の変化のみを検出するため据置型であること、および、閾値以上の電流値が一定周期で計測されるため、周期稼働であることが判明する。
【００７９】
このとき、据置型、かつ、周期稼働型なのは、目覚まし時計に限定されるので、電子機器１０は目覚まし時計と推定される（ステップＳ３０６）。
【００８０】
以上のようにして、電子機器１０のプロファイルが適切に推定される。
【００８１】
図４は、ペアバッテリ１３９の制御の例を示すフローチャートである。
【００８２】
ステップＳ４０２で、ペアバッテリ制御部１２６及びインタフェース１３２は、ペアバッテリ１３９が、電力供給デバイス１００と共に電子機器１０で用いられているか否かをチェックする。この判断が「いいえ」であれば、処理は終了する。この判断が「はい」であれば、ステップＳ４０４に移る。
【００８３】
ステップＳ４０４で、ペアバッテリ１３９の電流制御の必要性があるか否かが判断される。この必要性については、推定されたプロファイルに記述されていてもよい。この判断が「いいえ」であれば、処理は終了する。この判断が「はい」であればステップＳ４０６に進む。
【００８４】
ステップＳ４０６で、例えば、ペアバッテリ１３９の電流制御が行われる。この電流制御は、電流制御部１２２と連携して行われ得る。或いは、例えば、並列に接続されている場合には、ペアバッテリ１３９を最初に使うよう、電流制御を行い、ペアバッテリ１３９の蓄電量が０になった場合には、ペアバッテリ１３９のスペア電源として、電力供給デバイス１００の電力を提供するために電流スイッチをオンにすると共に、この電流がペアバッテリ１３９に流入するのを防止するために、ペアバッテリ１３９の電流スイッチをオフとしてもよい。なお、この場合、ペアバッテリ１３９の交換を促すために、動作制御部は、通信部１３０を介して、管理装置１４０にその旨のワーニングメッセージを送信してもよい。または、ＬＥＤ（不図示）などを点滅させて、ペアバッテリ１３９の交換を促してもよい。
【００８５】
図５は、プロファイル及びプロファイル履歴保存部１１８の例を示している。
【００８６】
図５（Ａ）は、複数のプロファイル５０１が、電子機器の種別毎に用意されていることを示している。
【００８７】
図５（Ｂ）は、プロファイル５１０に登録されている情報の例を示している。親機器プロファイル５１１は、電子機器１０の種別を識別するための情報である。この例の場合には、電子機器１０が「ＤＶＤレコーダのリモコン」であることが分かる。
【００８８】
設置タイプ５１２は、電子機器１０が設置されるタイプを示す。例えば、ＤＶＤレコーダのリモコンの場合には、可搬性があるため「可搬型」が記入されている。例えば、壁掛け時計の場合には、「設置型」が記入される。
【００８９】
たとえば、加速度の変化が一定時間以上続く場合は、可搬型と判定できる。加速度の変化が一瞬である場合は、据置型と判定できる。また、重力加速度の向きで、設置方向を判断できる。
【００９０】
可動タイプ５１３には、電子機器１０の稼働のタイプが記入される。ＤＶＤのリモコンの場合には、「使用時間限定（使用時間：５秒）」が記入されている。ＤＶＤのリモコンの場合には、通常、５秒以内に操作が終了するためである。たとえば、壁掛け時計の場合には、可動タイプ５１３は、「常時稼働」が記入され得る。また、おもちゃの場合には、例えば「使用時間限定（使用時間：１０分）」などが記入され得る。
【００９１】
たとえば、一定値以上の電流値が継続して続く場合、常時稼働タイプと判断できる。また、一定間隔で電流のピークが現れる場合は、常時稼働 （間隔情報も含む）と判断できる。また、周期的に電流値が大きくなる場合は、周期稼働 （周期の長さ情報も含む）と判断できる。また、閾値以上の電流値が一定期間しかない場合には、使用時間限定 （使用時間情報も含む）と判断できる。
【００９２】
関連性５１４には、関連性の高い他の機器と、関連度合いが記入される。この例の場合には、「ＤＶＤレコ−ダ（極めて高い）」「ＴＶ（かなり高い）」の２つが記入されている。ＤＶＤのリモコンであるため、ＤＶＤレコーダとの関連度合いが極めて高いためである。また、ＤＶＤを視聴する場合には、ＴＶをオンにすることとなる。しかしながら、ＤＶＤレコーダのリモコンは、ＴＶのリモコンとは異なるため、ＤＶＤレコーダよりは、関連性は低いため、「かなり高い」と記載されている。
【００９３】
たとえば、電池型デバイスの入った電子機器Ａのイベント（加速度や電流の変化）と、スマートメータに接続された接続機器Ｂのイベントの発生時刻の差ΔＴが閾値より小さい場合、両者の間に関連性が高いと判断できる。
【００９４】
以上のように、電子機器１０のプロファイルが記載されており、この記載内容を検索対象とすることにより、プロファイル検索部１１４は、適切なプロファイルを検索することができる。なお、新しい機器などの場合には、その機器に対応するプロファイルが存在しない場合もあり得る。この場合には、その新しい機器のプロファイルに近いプロファイルが用いられてもよい。
【００９５】
図５（Ｃ）は、プロファイル履歴保存部１１８の例を示している。
【００９６】
エントリ５２１には、保存されているプロファイルの識別を行うためのプロファイルＩＤが保存されている。プロファイルＩＤは、管理装置１４０においても、同じプロファイルＩＤを用いることが望ましい。プロファイルＩＤを特定することによって、プロファイルの内容を一意に特定できると共に、電子機器１０を一意に特定できる。なお、プロファイルは、同じ種類の電子機器１０に対して、共有することができる。例えば、メーカＡのテレビのリモコンとメーカＢのテレビのリモコンは、同じプロファイルであってもよい。
【００９７】
エントリ５２２には、プロファイルに命名された名前が記入される。
【００９８】
エントリ５２３には、同一の電力供給デバイス１００において、過去に用いられたプロファイルの回数が記入される。電力供給デバイス１００が利用するプロファイルは、電子機器１０から取り出されたとき、充電器に挿入されたとき、新しい機器に挿入されたときなどを契機として、リセットされる。利用されているプロファイルは、このリセットがなされるとき又はその前に、プロファイル履歴保存部１１８に保存される。
【００９９】
プロファイル履歴保存部１１８に保存された回数５１３の数が大きいほど、電力供給デバイス１００が次に利用される際に、同じ電子機器１０に利用される可能性が高くなる。したがって、複数のプロファイルが候補として存在する場合には、回数が大きい方のプロファイルを採用することで、より適切なプロファイルの推定が可能となる。
【０１００】
図６は、電力供給デバイス１００の構成の概要を示している。図６では、電力供給デバイス６００と、ペアバッテリ６５０が示されている。
【０１０１】
電力供給デバイス６００は、例えば、プラス側電極６０２と、電流計６０４と、ＭＰＵ６０６と、ブルートゥースインタフェースＢＴ４．０（６０８）と、メモリＦＲＡＭ(登録商標)６１０と、バイブレータ６１２と、スピーカ６１４と、加速度計６１６と、アンテナ６１８と、蓄電池６２０とを有する。なお、この例は一例である。
【０１０２】
ペアバッテリ６５０は、例えば、蓄電池６５２と、切替回路６５４と、プラス電極６５６とを有する。
【０１０３】
このように、電力供給デバイス６００及びペアバッテリ６５０は、例えば、単三電池と同じ形状を有しており、単三電池を利用する電子機器１０に組み込むことが可能である。
【０１０４】
図７は、検出されたイベントの関係の例を示す図である。
【０１０５】
図７（Ａ）は、テレビのリモコン７１０の電流と、ＴＶ７２０の電流との間の関係を示している。リモコン７１０内に、電力供給デバイス７１１が装着されている。また、ＴＶの電流については、スマートメータ（不図示）によって、コンセント７２１に流れる電流が検出されていると仮定する。
【０１０６】
電力供給デバイス７１１の電流のピーク値７１２と、ＴＶ７２０の電流の初期ピーク値７２２との間の遅延ΔＴ１が測定される。そして、リモコン７１０のプロファイルには、関連性の欄に、ＴＶ７２０との電流の遅延時間ΔＴａが、記載されているとする。プロファイル検索部１１４は、遅延ΔＴ１と、ΔＴａとの差が所定の閾値以下であるかを判断する。プロファイル検索部１１４は、この差が所定の閾値以下であれば、両者が一致したと判断する。このため、プロファイル検索部１１４は、電子機器１０が、テレビのリモコンであると判断する可能性が高くなる。
【０１０７】
図７（Ｂ）は、目覚まし時計７３０の電流と、コーヒーメーカの電流との間の遅延ΔＴ２が測定される。そして、目覚まし時計のプロファイルには、目覚まし時計７３０に装着されている電力供給デバイス７３１の電流のピーク値７３２と、コーヒーメーカ７４０のコンセント７４１の電流のピーク値７４２との間の遅延時間ΔＴｂが記載されているとする。プロファイル検索部１１４は、遅延ΔＴ２と、ΔＴｂとの差が所定の閾値以下であるかが判断される。プロファイル検索部１１４は、この差が所定の閾値以下であれば、両者が一致したと判断する。このため、プロファイル検索部１１４は、電子機器１０が、目覚まし時計であると判断する可能性が高くなる。
【０１０８】
そのほか、ガスコンロ（電子機器Ａ）と換気扇（その他の機器Ｂ）のイベント発生時刻の差ΔＴが所定の時間間隔以内の場合、両者の関連性はかなり高いと判断できる（不図示）。
【０１０９】
図８は、一実施形態のハードウェアの構成例を示す図である。ハードウェアは、メモリ８０２、ＭＰＵ（処理装置）８０４、表示制御部８０６、入出力インタフェース８１０、通信制御部８３０が含まれうる。そして、それぞれの構成は、バス８６０で接続されている。
【０１１０】
表示制御部８０６には、例えばＬＥＤが接続され得る。
【０１１１】
入出力インタフェース８１０には、例えば、電流センサ８１１、加速度検出器８１２、ジャイロ８１３、温度センサ８１４、スピーカ８２１、電流制御部８２２、ペアバッテリ８２３が接続されている。
【０１１２】
通信制御部８３０には、送信器８３１、受信器８３２が接続されている。
【０１１３】
また、通信制御部８３０の受信器８３２には、送信部８５１とメモリ８５２とを有する可搬記憶媒体８５０が接続され得る。
【０１１４】
メモリ８０２には、プログラムのソース及び、ソースに関連する世代等の管理情報が格納されてもよい。
【０１１５】
実施形態におけるプログラムの一部又は全部は、メモリ８０２に格納され、ＭＰＵ（処理装置）８０４によって動作する。
【０１１６】
なお、本実施形態の全部又は一部はプログラムによってインプリメントされ得る。このプログラムは、可搬記憶媒体８５０に格納することができる。可搬記憶媒体８５０とは、非一時的（ｎｏｎ−ｔｒａｎｓｉｔｏｒｙ）な記憶媒体を言う。
【０１１７】
可搬記憶媒体８５０に格納されたプログラムが読み出され、プロセッサによって実行されることにより、本発明の実施形態の全部又は一部が実施され得る。
【０１１８】
以上、図面を用いて本発明の実施形態を詳細に説明した。なお、上述の実施形態は、発明を理解するためのものであり、本発明の範囲を限定するためのものではない点に留意すべきである。また、上述の複数の実施形態は、相互に排他的なものではない。したがって、矛盾が生じない限り、異なる実施形態の各要素を組み合わせることも意図されていることに留意すべきである。また、請求項に記載された方法、及びプログラムに係る発明は、矛盾のない限り処理の順番を入れ替え、或いはスキップしてもよい。あるいは、複数の処理を同時に実行してもよい。そして、これらの実施形態も、請求項に記載された発明の技術的範囲に包含されることは言うまでもない。
【０１１９】
また、コンピュータが読み出したプログラムコードを実行することにより、上述の実施形態の機能が実現されるだけでなく、そのプログラムコードの指令に基づき、コンピュータ上で稼働しているＯＳ、ファームウエア、ＢＩＯＳなどのプログラムが実際の処理の一部または全部を行ない、その処理によって実施形態の機能が実現される場合も、本発明に含まれることは言うまでもない。
【０１２０】
また、本発明に係るプログラムを実行するＭＰＵ（処理装置）は複数であってもよい。
【０１２１】
以上の実施形態に関して、以下の付記を開示する。
（付記１）
電子機器に装着されて前記電子機器に電力を供給する電力供給デバイスであって、
前記電力を提供する蓄電池と、
前記蓄電池の電流を検出する電流検出部と、
前記電力供給デバイスの物理動作を検出する物理動作検出部と、
少なくとも検出された前記電流及び／又は検出された前記物理動作を含む情報に基づいて、複数の電子機器のそれぞれに対応するプロファイルから、前記電力供給デバイスが装着されている電子機器のプロファイルを推定する、プロファイル推定部と、
前記推定された前記電子機器のプロファイルに基づき、所定の動作を制御する、動作制御部と、
を有する、
電力供給デバイス。
（付記２）
前記動作制御部は、
前記蓄電池の電流を制御する、電流制御部、
を含み、
前記所定の動作は、前記電流の制御である、
付記１記載の電力供給デバイス。
（付記３）
無線通信を行う、通信部を更に有し、
前記所定の動作は、無線通信である、
付記１又は２記載の電力供給デバイス。
（付記４）
前記プロファイル推定部は、
複数のプロファイルを保存する、プロファイル保存部と、
少なくとも検出された前記電流及び／又は検出された前記物理動作を含む情報を用いて、前記プロファイル保存部から、前記電子機器のプロファイルを検索する、プロファイル検索部と、
前記通信部を介して、前記情報を管理装置に送信することによって、前記管理装置が推定した前記電子機器のプロファイルを取得する、プロファイル取得部と、
を含む、付記３記載の電力供給デバイス。
（付記５）
前記プロファイル推定部は、検出された前記電流の変化と、検出された前記物理動作の変化との間の関係を更に用いて、前記電子機器のプロファイルを推定する、
付記４記載の電力供給デバイス。
（付記６）
前記プロファイル推定部は、検出された前記電流の変化及び／又は検出された前記物理動作の変化と、前記電子機器とは異なる外部機器の動作情報との間の関係をさらに用いて、前記電子機器のプロファイルを推定する、
付記４又は５に記載の電力供給デバイス。
（付記７）
前記プロファイル推定部は、前記推定されたプロファイルを保存する、プロファイル履歴保存部であって、同一プロファイルの保存回数を併せて保存する、プロファイル保存部を含み、
前記電子機器のプロファイルの候補が複数存在する場合には、前記プロファイル保存部の前記保存回数の多い前記候補を特定する、
付記４ないし６のうちいずれか１項記載の電力供給デバイス。
（付記８）
前記電力供給デバイスに直列又は並列に接続されている１つ以上のペアバッテリに指令を送るペアバッテリ制御部、を更に有し、
前記所定の動作は、前記ペアバッテリ制御部を介して、前記１つ以上のペアバッテリの電流を制御する指令である、
付記１ないし７のうちいずれか１項記載の電力供給デバイス。
（付記９）
電子機器に装着されて前記電子機器に電力を供給する電力供給デバイスが有する処理装置に実行させるためのプログラムであって、
前記電力供給デバイスに含まれ、電力を供給する、蓄電池の電流を検出し
前記電力供給デバイスの物理動作を検出し、
少なくとも検出された前記電流及び／又は検出された前記物理動作を含む情報に基づいて、複数の電子機器のそれぞれに対応するプロファイルから、前記電力供給デバイスが装着されている電子機器のプロファイルを推定し、
前記推定された前記電子機器のプロファイルに基づき、所定の動作を制御する、
処理を、処理装置に実行させるための電力供給プログラム。
（付記１０）
前記所定の動作を制御する処理は、前記電流を制御する処理、を含む、
付記９記載の電力供給プログラム。
（付記１１）
前記所定の動作を制御する処理は、無線通信を実行する処理、を含む、
付記９又は１０記載の電力供給プログラム。
（付記１２）
前記プロファイルを推定する処理は、
少なくとも検出された前記電流及び／又は検出された前記物理動作を含む情報を用いて、複数のプロファイルを保存したプロファイル保存部から、前記電子機器のプロファイルを検索し、又は
前記情報を管理装置に送信することによって、前記管理装置が推定した前記電子機器のプロファイルを取得する、
処理を含む、付記１１記載の電力供給プログラム。
（付記１３）
前記プロファイルを推定する処理は、検出された前記電流の変化と、検出された前記物理動作の変化との間の関係を更に用いて、前記電子機器のプロファイルを推定する、
処理を含む、付記１２記載の電力供給プログラム。
（付記１４）
前記プロファイルを推定する処理は、検出された前記電流の変化及び／又は検出された前記物理動作の変化と、前記電子機器とは異なる外部機器の動作情報との間の関係をさらに用いて、前記電子機器のプロファイルを推定する、
処理を含む、付記１２又は１３に記載の電力供給プログラム。
（付記１５）
前記プロファイルを推定する処理は、
前記電子機器のプロファイルの候補が複数存在する場合には、前記推定されたプロファイルを保存する、プロファイル履歴保存部であって、同一プロファイルの保存回数を併せて保存する、プロファイル保存部の前記保存回数の多い前記候補を特定する、
処理を含む、付記１２ないし１４のうちいずれか１項記載の電力供給プログラム。
（付記１６）
前記所定の動作を制御する処理は、前記電力供給デバイスに直列又は並列に接続されている１つ以上のペアバッテリに指令を送る処理によって、前記１つ以上のペアバッテリの電流を制御する指令を発する処理である、
付記９ないし１５のうちいずれか１項記載の電力供給プログラム。
【符号の説明】
【０１２２】
１００  電力供給デバイス
１０２  蓄電池
１０４  電流検出部
１０６  物理動作検出部
１１０  プロファイル推定部
１１２  プロファイル保存部
１１４  プロファイル検索部
１１６  プロファイル取得部
１１８  プロファイル履歴保存部
１２０  動作制御部
１２２  電流制御部
１２４  外部機器制御部
１２６  ペアバッテリ制御部
１３０  通信部
１３２  インタフェース
１３４  スピーカ
１３６  バイブレータ
１３９  ペアバッテリ
１４０  管理装置
１６２、１６６  外部機器
１５０  無線ネットワーク
【図１】
2014230471.tif 000003
【図２】
2014230471.tif 000004
【図３】
2014230471.tif 000005
【図４】
2014230471.tif 000006
【図５】
2014230471.tif 000007
【図６】
2014230471.tif 000008
【図７】
2014230471.tif 000009
【図８】
2014230471.tif 000010